(57)【要約】  経皮送達の装置は、ハンドル一つとチップ一つを備え、皮膚に接触する表面があり、駆動ユニットによって動かされる。流体の投与構造は、皮膚接触表面と真空のエントリーポートに穴を形成させる。チップの複数の機能を提供するように、皮膚接触表面にて流体投与構造で研磨・電極・マイクロニードルを選んで出願する。液が戻され、収集される前に、流体投与構造によって、皮膚接触表面に送られて、研磨・電極と相互作用してもらう。それで、研磨剥離、電極刺激と流体注入という３つの異なる皮膚治療術は皮膚の構造を改善する一つの構造で達成できる。
2017513683.tif 000002
【特許請求の範囲】
【請求項１】
経皮流体送達装置であって、
流体送達構造と流体回収構造、チップドライバーから構成されるハンドルにおける支持部材と、皮膚接触表面を有する多機能チップを含み、
上記多機能チップの皮膚接触表面は、複数の研磨エレメントと、前記研磨エレメントを囲む複数の電極から構成され、
上記支持部材は、上記流体送達構造と、流体回収構造、チップドライバーから構成され、上記ハンドルの内部にあるケースに収納され、
上記チップドライバーは、駆動ユニットと駆動シャフトから構成され、
上記駆動シャフトは上記駆動ユニットから、上記多機能チップに有効に伸ばされ、上記支持部材の中心溝を通り、
前記駆動シャフトは移動可能であり、前記支持部材は固定されており、前記多機能チップは複数の研磨エレメントから構成され、その複数の研磨エレメントは前記駆動シャフトの両端に着脱式で装着され、
前記駆動シャフトは、前記多機能チップにつながる中空ポーションが少なくとも一つあり、前記流体送達構造の流体送達チャンネルは前記駆動シャフトの中空ポーションに固定され、
前記流体送達構造は、前記駆動シャフトに配置される流体入口を有し、流体を前記支持部材の内部流体空洞から、前記駆動シャフトの前記中空ポーションにある流体送達チャンネルに導くようになっており、
前記流体送達構造は、前記多機能チップの皮膚接触表面の軸中心に配置される開口部を少なくとも一つ有し、それは前記駆動シャフトの中空ポーションにある流体送達チャンネルと連通し、皮膚の表面に流体を送達するためであり、
前記駆動シャフトは、二重の機能を有し、前記多機能チップの皮膚接触表面を駆動し回転させ、そして流体を誘導し、前記流体送達チャンネルを通って前記開口部にて、前記多機能チップの皮膚接触表面まで送り、
前記駆動ユニットを操作して、前記駆動シャフトを介して、前記多機能チップの皮膚接触表面にあるモーターを利用して、動作を完成させ、
そして、前記流体回収構造は、真空入口、真空ポート及び真空通路から構成され、前記真空通路は、前記支持部材を通って、前記真空入口で前記多機能チップから使用済流体を回収し、前記支持部材の後部にある容器に送達する、
ことを特徴とする経皮流体送達装置。
【請求項２】
前記支持部材は固定され、前記駆動ユニットが前記支持部材の中央溝の中に、一つの方向か前後にしか動かず、駆動シャフトの動作中における不要な振動を防止する、
ことを特徴とする請求項１に記載の経皮流体送達装置。
【請求項３】
前記駆動シャフトは移動可能で、前記支持部材の中央溝を通って、前記支持部材の内部流体空洞の中にある流体入口を設置し、それで前記駆動シャフトは前記支持部材に応じて移動される時、前記流体は前記支持部材の前記内部流体空洞から前記流体入口に入る、
ことを特徴とする請求項１に記載の経皮流体送達装置。
【請求項４】
前記支持部材は前記中心溝の内部壁に埋め込まれる２つのシールエレメントからなり、その２つのシールエレメントが漏れないように、内部流体空洞の中に流体の入口を封じ、それで、駆動シャフトが移動する時、支持部材の中央溝に前記の液体が漏れなくなる、
ことを特徴とする請求項１に記載の経皮流体送達装置。
【請求項５】
前記支持部材は、さらに、支持部材の後側から流体空洞内に延伸する流体案内通路を有し、前記流体は前記流体案内通路から前記流体空洞内に流れるように導かれ、その前に流体入口から前記流体送達チャンネルに流れるように導かれる、
ことを特徴とする請求項１に記載の経皮流体送達装置。
【請求項６】
皮膚接触表面の軸中心に形成されている前記開口部は、複数の流体分配チャンネルを定義し、前記複数の流体分配チャンネルは、前記開口部から前記電極に半径方向と外向きに延伸し、前記各々の流体分配チャンネルは、２つの隣接する研磨エレメントの間にギャップを形成する、ことを特徴とする請求項１に記載の経皮流体送達装置。
【請求項７】
前記多機能チップは、前記皮膚接触表面に複数のマイクロニードルを配置するマイクロニードルアセンブリから構成される、
ことを特徴とする請求項１に記載の経皮流体送達装置。
【請求項８】
経皮流体送達装置であって、
皮膚接触表面がつく多機能チップの作業端がり、複数の研磨エレメントと、それを囲む複数の電極から構成される電極モジュールからなるハンドルと、
チップドライバー、流体送達構造、そして流体回収構造から構成される支持部材と、を含み、
前記チップドライバーは、駆動ユニットと駆動シャフトから構成され、その駆動シャフトは、前記駆動ユニットから、前記支持部材の中央溝を通って、前記多機能チップまで延長し、前記多機能チップの皮膚接触表面を駆動し、
前記駆動シャフトは移動可能であり、前記支持部材は固定されており、
複数の研磨エレメントから構成される前記多機能チップと、前記複数の研磨エレメントを囲む複数の電極リングから構成される前記電極モジュールは前記ハンドルの前記作業端に置いて、前記駆動シャフトの任意端にて着脱式で装着され、
流体送達チャンネルは、流体を皮膚の表面に届けるために、前記駆動シャフトの中空ポーションに配置され、そのシャフトは前記多機能チップと、前記複数の研磨エレメントにおいて同軸の中心に配置される少なくとも一つの開口部まで延長され、
駆動シャフトが前記支持部材に応じて前記駆動ユニットによって回転するとき、前記支持部材の内部流体空洞における流体は、前記駆動シャフトにある横方向の流体入口に入り、複数の流体配分チャンネルは前記複数の研磨エレメントの同軸の中心における前記開口部から、前記電極に延長され、それで、流体は皮膚の表面と前記電極に均一に配布され、そして
前記流体回収構造は、前記電極モジュールの周囲に配置される真空入口を有し、流体通路は前記同軸の中心にある前記開口部と前記真空入口の間に配置され、流体が前記開口部を通って皮膚接触表面に配達され、そして前記研磨エレメントと前記電極と相互作用して、その後真空ポートを通って前記真空入口に引き戻され、それで、研磨、電気刺激と液体浸透という３つの機能は同時に実現される、
ことを特徴とする経皮流体送達装置。
【請求項９】
経皮流体送達方法であって、
（ａ）ハンドルを固定して持ち、皮膚の表面に前記ハンドルの作業端を置く、
（ｂ）多機能チップにある開口部を通して、流体を皮膚表面に届け、チップは、前記ハンドルの前記作業端に、複数の回転と振動研磨エレメントを有する、
（ｃ）前記多機能チップにある複数の回転・振動エレメントを通じて、前記流体を皮膚接触表面に均一に配布する、
（ｄ）駆動シャフトは前記ハンドルが停止する間に、前記多機能チップを駆動し、前記複数の研磨エレメントを回転及び／又は振動させ、皮膚接触表面を研磨する、
（ｅ）同時に、多機能チップの内部構造を囲む電極モジュール上の複数の電極と相互作用する流体を導く、
ステップを含む、ことを特徴とする経皮流体送達方法。
【請求項１０】
前記電極モジュールの周囲に配置される真空入口にて前記流体を回収するステップ（ｆ）を更に含み、それは、前記の液体が前記研磨エレメントと前記電極と相互作用してから、前記真空入口に回収されることを保証し、そのステップ（ｆ）には、使用済の流体を前記多機能チップから前記ハンドルの後部にある容器に移動することも含まれる、
ことを特徴とする請求項９に記載の経皮流体送達方法。
【発明の詳細な説明】
【技術分野】
【０００１】
本発明は、２０１２年１１月２１日にフィアルされたシリアル番号１３／６８３，９９５の非仮出願で、２０１２年６月２６日にファイルされたシリアル番号１３／５３３，７１９の非仮出願の継続出願である。
【０００２】
当該発明は皮膚治療ツールに関連する。もっと詳しくは、当該発明は経皮送達の装置と方法に関するものである。
【背景技術】
【０００３】
皮膚表面リサーフェシングの技術はマイクロダーマブレーションと知られ、皮膚の表皮層を取り除くことで皮膚の外表皮層を治療し、人体自身の創傷治癒反応を減少させる。送達でマイクロダーマブレーションとつないで、治療効果を向上させることは知られる。ただし、組み合わせられるマイクロダーマブレーション・送達治療は角質層の保護機能に阻害され、薬及び／又は流体を皮膚に投与するとき、皮膚の表面に浸透と吸収される深さは制限される。
【０００４】
電流を利用して経皮薬品投与（例えば皮膚エレクトロポレーション）を含む皮膚治療法は既知される。ただし、それらの技術は以下の状況において結果は限られる：１）ワキュームを使う有効な流体送達・回収システムが欠如；２）角質層のインピーダンスは現有の薬及び・又は流体の電気浸透術の効力を制限する；そして、３）皮膚の最適な浸透は電流を応用する過程に発生し、電気のパルスを使ってから数秒間しか持続できない。
【０００５】
皮膚に電流を応用する現在の技術は、下記の一種か数種の不効率が存在し、限られた効果を得てしまう。すなわち、真空源で効率に流体を送達・回収するシステムがない；流体と電流を同時に皮膚に投与することができない；角質層のインピーダンスを低減させる手段がない。
【０００６】
従来の技術の主要な欠点として、流体が皮膚の研磨表面に直接投与できないことがある。チューブの注射端は研磨表面に接近するが、それと分離しているので、流体はチューブの注射端を経由して研磨表面に射出されている。注射端を経由する流体の流れは、皮膚に投与するとき流体を最後に研磨表面に送らないことになる。流体が皮膚と皮膚の研磨表面を完全に通過できないため、ほとんどの流体は実際に皮膚に接触できず、浪費されてしまう。もっと重要なのは、マイクロダーマブレーション設備にモーターが利用される場合、注射チューブは単独構造を使う。
【０００７】
ＵＳ．Ｐｕｂ．  Ｎｏ．  ２０１０／００４９１７７  Ａ１  Ｂｏｏｎｅは、研磨表面と側面を備えるチップからなっている。複数の流体のチャンネルはチップの側面まで行く。それはつまり、流体はチプの研磨表面に直接届けられないことである。Ｂｏｏｎｅはさらに、チップの周囲と、チップとバキューム開け口の間に、均一に配分される複数の放射線源を開示した。その構造の主要な弱点は、バキューム開け口の真空状態によって、流体は研磨表面ではなく、放射線源だけ送られてしまうことである。そのため、ユーザはＢｏｎｎｅのハンドルを手にとって、肌の上にチップを手動で動かしなければならない。また、Ｂｏｏｎｅは高周波で皮膚の下を加熱する機能を備えるが、流体投与か研磨に何の関係もない。それはもっと深いレイヤーに熱を通す方法で、皮膚を引き締まるが、経皮流体投与の道は作っていない。このタイプの高周波は研磨と流体と関係ない。
【０００８】
ＵＳ．  Ｐｕｂ．  Ｎｏ．  ２００４／０１３８６８０  Ａ１  Ｔｗｉｔｃｈｅｌｌ等が公開したマイクロダーマブレーション設備は、シャフトと、吸引カップにあるバキューム・ペースつつながるチューブを通じてモーターと機械的に結合される剥離チップから構成される。Ｔｗｉｔｃｈｅｌｌ等が言ったように、吸引カップはカップの空間にある真空の力で、ユーザの皮膚を部分的にカップに引っ張る。それはつまり、剥離チップに流体が投与されない上、チューブを通じて流体を回収もしない。
【０００９】
Ｕ．Ｓ．  Ｐａｔ．  Ｎｏ．  ８，３４３，１１６，  Ｉｇｎｏｎ等が開示した皮膚治療システムには、皮膚を研磨するための研磨エレメントと、配送ポートと、チップの作業表面に延長される吸引ポートと、最低１つ有するチップから構成される。その配送ポートは、１つ目の缶から流体をチップの作業表面に送り、そして吸引ポートが流体をチップの作業表面から２つ目の缶に回収する。Ｉｇｎｏｎ等が言明したように、そのシステムの弱点は、流体がチップの作業表面に届いた後すぐ吸引ポートに吸い戻されることである。それはすなわち、流体がチップの作業表面にとどまる時間の長さは足りない。また、Ｉｇｎｏｎ等が言明したように、システムにモーターが装着されていないので、ユーザはＩｇｎｏｎ等のハンドルを手取り、皮膚を摩擦するようにチップを手動で動かしなければならない。そのため、Ｉｇｎｏｎ等が言明したように、配送ポートも吸引ポートもチップの作業表面の真上に位置するので、そのシステムは電極を装着することが不可能である。だから、吸引ポートで流体を真空で吸い戻した後、電極と接触させるように配送できない。
【発明の概要】
【発明が解決しようとする課題】
【００１０】
よって、改善された流体投与・流体回収機能を備え、皮膚の浸透効力を向上させる皮膚のリサーフェシングと改善システムが必要である。今度の発明が開示した経皮流体投与の装置と方法は、表皮や真皮、皮下組織など皮膚の複数の層を影響する皮膚構造を改善させるため、１）研磨剥離２）電気刺激３）流体注入という方法を同時に施すことで、流体製剤を皮膚の奥まで経皮浸透させる治療を３つの異なる皮膚治療機能を提供する。本発明はまた、革新的な構造を提供し、チップ表面に流体を導流することと、流体の経路を延長させることを同時に実現させる。
【課題を解決するための手段】
【００１１】
本発明は、皮膚の表面と底面を統合して治療する設備と方法について説明する。その設備の構成としては、皮膚を電流で刺激する電極を利用して経皮薬品及び／又は流体を投与し、同時に皮膚の表面にて研磨チップで肌の表面を磨く。本発明の一つの実施例は、流体送達システムと、研磨チップと、電流プローブを一つのハンドルに装着させる。当該デバイスは今後、流体と皮膚の破片を取り除く真空源を増やすことが期待される。
【００１２】
今度の発明が開示した経皮流体投与の装置と方法は、表皮や真皮、皮下組織など皮膚の複数の層を影響する皮膚構造を改善させるため、１）研磨剥離２）電気刺激３）流体注入という方法を同時に施すことで、流体製剤を皮膚の奥まで経皮浸透させる治療を３つの異なる皮膚治療機能を提供する。本発明の装置はオールインワンの手持ち皮膚治療デバイスである。
【００１３】
本文が記述する設備と方法は、皮膚の浸透性を向上させるよう、設備の作業先端に電流と研磨メディアを装着させることによって、流体の同時深層浸透を可能にする。別の実施例で、電流で角質層を通して皮膚の下にある細胞を刺激する電気浸透術や超音波及びその他電気療法と知られる技術を設備に活用する可能性がある。電気誘導療法とマイクロダーマブレーションを組み合わせることはアークア・パスを作って、設備内部にあるバキュームシステムで送達と回収容器から送られる薬及び／又は流体の浸透性を向上させる。それに、圧力メカニズムも設備の一部として応用される。
【００１４】
ある実施例によると、患者さんの皮膚表面を治療する設備は、付近にチップが設置されるハンドルから構成される。そのチップには一つかそれ以上の電極があるほか、そして流体を送達するための一つかそれ以上の開口部と一つの研磨メディアを有する研磨エンドポーションがある。設備はまた、ハンドルの尾部付近のチップにバキュームとバキュームエントリーポートがある。そのバキュームエントリーポートに、皮膚の表面から流体と破片を回収するために、一つかそれ以上の穴がある。もう一つの実施例によると、ハンドルのチップに電極と研磨エンドポーション、流体送達穴が設置され、それぞれ独立したはずせるチップかエンド構造にある。設備に複数の外せる構造があれば、エンド構造も独立で取り外せるし、内部で取り替えられるものになる。
【００１５】
好ましい実施例において、設備のチップに外部の構造があり、その外部構造に一つかそれ以上の電極と、研磨メディアを有する研磨エンドポーションがつく中間構造がある。設備のチップはまた、一つかそれ以上の流体送達穴がある内部構造がある。外部構造はチップの周辺にある。その中間構造は内部構造と外部構造の間にある。外部構造と中間構造、内部構造は同軸の輪の形になっている。外部構造と中間構造はチップにて、それぞれ外部と中間の輪になることが好ましい。外部の輪と中間の輪は丸い形でもいいが、そうではなくてもいい。そのため、研磨エンドポーションが中間の輪にあり、流体の送達を回すようにする。電極は外部の輪に配置され、研磨エンドポーションを中間の輪にて丸くする。好ましいのは、少なくとも一つの構造が取り外せる事で、もっと好ましいことは、外部構造と中間構造、内部構造それぞれ全部取り外せる事。一番望ましい場合は、少なくとも一つの構造は廃棄でいる事。
【００１６】
もう一つの実施例は、患者さんの皮膚表面を治療する方法を提供した。その方法によると、まず患者さんの皮膚表面を治療する研磨設備を選ぶ。その研磨設備は一つかそれ以上の電極と、研磨メディアを有する研磨エンドポーション、そして一つかそれ以上の流体送達穴がある。次に、設備の研磨エンドポーションを患者さんの皮膚表面に置く。患者さんの皮膚は、研磨メディアを患者さんの皮膚表面に応用し、患者さんの皮膚表面に流体を送り、患者さんの皮膚表面に電流を使うことによって治療される。患者さんの皮膚は上記の順で、同時に研磨メディア、流体、電流で使うか、別の順で行う。それから患者さんの皮膚表面にバキュームを応用させる。
【００１７】
もう一つの実施例は、患者さんの皮膚表面を治療するキットを提供した。そのキットには、一つかそれ以上の電極を有する電流チップが一つかそれ以上つくチップと、研磨メディアがつくエンドポーションがつき、内部交換できる取り外し可能な複数研磨チップと、流体送達穴が一つかそれ以上つく流体送達チップがある。望ましいことは、チップにバキュームエントリーポートをまた入れる。もっと望ましいことは、複数の研磨チップにグリットサイズがあり、そして各研磨チップのグリットサイズが異なる。
【００１８】
もう一つの実施例は、患者さんの皮膚表面を治療する設備を提供した。その設備は、皮膚接触表面を有する多機能チップと、流体送達構造と、チップドライバーから構成される。
【００１９】
そのチップドライバーは駆動ユニットと、駆動ユニットから多機能チップまで伸ばされた駆動シャフトから構成させる。それで、駆動ユニットを操作して、多機能の皮膚接触チップを動かす。その駆動シャフトには、多機能チップにつながる中空部が少なくとも一つ設置されている。
【００２０】
流体送達構造は、多機能の皮膚接触表面に流体の流れを直接送るように設置されている。流体送達構造は駆動シャフトの中空部にて流体チャンネルがあり、そのチャンネルとつながるように、前記の多機能チップの皮膚接触表面にて少なくとも一つの穴を開ける。それで、駆動シャフトは多機能チップの皮膚接触表面の多機能を提供し、流体を回し、チャンネルを通して、多機能チップの皮膚接触表面の穴に同時に導く。
【図面の簡単な説明】
【００２１】
本発明の目標と特徴及び優位性についてもっと完全な理解を得るように、添付の図面を参照する。下記の記述、添付する請求の範囲と付属の図表は本発明のこれら及びその他特徴、方面と優位性をもっとわかりやすく説明する。
【図１Ａ】図１Ａは本発明の一実例によって、皮膚研磨設備１００を示す。
【図１Ｂ】図１Ｂは本発明によって、図１Ａに示される設備１００の一側面の断面図を示す。
【図２Ａ】図２Ａは本発明によって、図１Ａと図１Ｂに示される設備１００の上面透視図であり、設備１００のチップ１０４を示す。
【図２Ｂ】図２Ｂと図２Ｃは本発明のもう一つの実施例によって、設備１００のチップ１０４の代替実施例である。
【図２Ｃ】図２Ｃは本発明のもう一つの実施例によって、設備１００のチップ１０４の代替実施例である。
【図３Ａ】図３Ａは本発明のもう一つの実施例によって、複数の取り外し・交換・添付可能なチップを有する設備１００の一実施例の側面図である。
【図３Ｂ】図３Ｂは図３Ａに示されるチップの一つの別実施例の側面図である。
【図４】図４は本発明のもう一つの実施例によって、広角チップ１０４のある設備１００の一部断面図を示す。
【図５Ａ】図５Ａは本発明のもう一つの実施例によって、複数の取り外し・交換・添付可能なチップを有する設備１００の別の一実施例の側面図を示す。その電極１０８ａ，  １０８ｂ，は同心円になる。
【図５Ｂ】図５Ｂは本発明のもう一つの実施例によって、同心円になる電極１０８ａ，１０８ｂを有する設備１００（図５Ａ）の一部断面図を示す。
【図６Ａ】図６Ａは本発明のもう一つの実施例によって、分離ハンドルの１０２ａと１０２ｂがつく皮膚研磨設備１００の代替実施例を示す。
【図６Ｂ】図６Ｂは図６Ａの分離ハンドルの１０２ａと１０２ｂを示す断面図である。
【図７】図７は本発明のもう一つの実施例によって、ハンドルに装着される着脱可能なチップの透視図である。
【図８】図８は本発明の上記の実施例によって、チップの分解図であり、電極の輪の取り替えを示す。
【図９】図９は本発明の上記の実施例によって、チップの上部図を示す。
【図１０】図１０は本発明の上記の実施例によって、チップの上部図であり、中間構造にある一つの電極の輪を示す。
【図１１】図１１は本発明の上記の実施例によって、チップの上部図であり、外部と中間構造の代替品を示す。
【図１２】図１２は本発明の上記の実施例によって、チップの上部図であり、チップの研磨表面をどのように増やすか示す。
【図１３】図１３は本発明の上記の実施例によって、ハンドルに装着される着脱可能なチップの透視図であり、電極の皮膚治療チップを示す。
【図１４】図１４は本発明の上記の実施例によって、ハンドルに装着される着脱可能なチップの透視図であり、マイクロニードル皮膚治療チップを示す。
【図１５】図１５は本発明の上記の実施例によって、マイクロニードル皮膚治療チップの調整案を示す。
【図１６】図１６は本発明の上記の実施例によって、経皮流体投与装置を示す。
【図１７】図１７は本発明の上記の実施例によって、図１６にある装置の断面図を示す。
【図１８】図１８は本発明の上記の実施例によって、駆動シャフトと装置のサポート部分の分解図を示す。
【図１９】図１９は本発明の上記の実施例によって、装置の電極のモジュールの調整案を示す。
【発明を実施するための形態】
【００２２】
本説明が提供するマイクロダーマーブラションのような設備は皮膚表面の薬及び／又は浸透性を向上させる。一般に、薬及び／又は流体の経皮浸透は全体的に言えば低い比率で発生する。角質層はバリアのように、物質の経皮浸透を制限する。皮膚に高圧パルスを応用すると、浸透性（エレクトロポレーション）が向上し、皮膚の奥そして皮膚を通して多様な物質を送達すまた、単独または他の強化方法と組み合わせて使用するエレクトロポレーションは、経皮投与する薬の範囲（小〜高分子、親油性か親水性、荷電または中性分子）を拡大する。輸送の効力は電気的パラメータと、薬物の物理化学的性質に依存する。高電圧パルスを生体内で応用することはよく耐用される。
【００２３】
本発明の実施例が記述する設備は、研磨表面と流体送達、電流送達と流体真空吸引から構成される。この設備はまず皮膚の表面に研磨メディアを送り、皮膚を流体投与のために準備させることで、角質層を通過して流体を配送する機能を向上させる。次に、設備は流体を皮膚の表面に送り、同時に電流を与える（エレクトロポレーション）。皮膚の研磨の後、エレクトロポレーションと同時にある流体送達は皮膚の浸透性を増やすことで皮膚を通して流体を深く浸透させる。角質層を通す流体送達を増強させるほか、設備は皮膚の表面をリサーフェイスし、死亡細胞と外層の破片及びその他表面の欠陥を取り除く。基地のマイクロダーマーブラション設備と異なって、本発明の設備で達成した結果はもっと良い効果と長い持続性を持つ。皮膚を強化させる流体と薬は同時エレクトロポレーションでもっと深く投下され、そして電気誘導療法自身が、コラーゲン生成と筋肉整調、肌全体の弾力性と安定さを改善するなど、皮膚を増強させる利点がある。
【００２４】
本文にある設備と方法は、皮膚増強薬と薬剤の経皮・局部投与に向けて、有効な流体送達・回収を提供する。現在既知の技術が皮膚にジェルを応用するが、ジェルの分子重量がより大きいので、有効成分の浸透性が制限されることから、本発明の上記の特徴は特に重要だとみられる。流体による高分子投与が本発明によって達成され、ジェルを使う以前の技術より効率的である。本発明が記述したように、研磨を応用することは角質層のインピーダンスを低減させる課題を解決し、それで薬品を皮膚にもっと浸透させる。応じて、流体送達と電流、真空源を含む本発明の設備と方法は、研磨表面を通じて局部投与を増加することで、皮膚増強薬を含有する流体の同時応用を可能にし、最大な効果に達成する。研磨表面が、できれば流体・薬品を送達する前に、局部投与と、皮膚の奥層まで薬品の浸透を増やす。流体送達と真空源、そしてもっと特定的に言えば研磨表面と電流で皮膚リサーフェシングと増強を実現させる手段のない以前の技術工芸と比べ、本発明のそれらの特徴は一つの改善である。
【００２５】
本文に使われる「構成」という表現及びその変形、例として「構成される」などは、別の添加剤や成分、整数かステップを排除するつもりはない。
【００２６】
ある実施例において、本発明は皮膚に流体送達を向上させる設備である。図１Ａを参考し、皮膚研磨設備１００は示される通り流体と電流を送達する。設備１００はハンドル１０２、チップ１０４及び遠位端１０６から構成される。遠位端に、電気管１０８、流体配管１１０、真空配管１１２のような配管が一つかそれ以上位置している。皮膚研磨設備１００は設備１００を制御するためにさらに、電気配管１０８を通じる電流を制御するため、及び／又は流体送達導管と真空配管１１０＆１１２から流体及び／又は真空を制御するためのスイッチ１１４及び／又は１１０のようなスイッチを一つかそれ以上含む。ただし、他の実施例において、それらのスイッチはリモートで付属デバイスに設置されている。オプションとなる真空機能は皮膚から流体と皮膚の破片を回収し、またオプションの廃棄物容器（図示せず）に吸引された流体と皮膚の破片を送る。その容器はハンドルか、付属デバイスに設置される可能性がある。
【００２７】
図１Ａが示すように、ハンドル１０２が成形されるハンドグリップ付き円筒形か、または円筒状など他の形状であってもよい（成形ハンドグリップなしで）し、或いは楕円、正方形、長方形など他多様な形になっても良い。ハンドル１０２を構成する多様な材料に、当業者によく知られる適切なプラスチック、アルミニウム、ステンレス鋼及び他の合金金属などの金属、そして金属とプラスチックの組合せが含まれる。好ましいのは、ハンドル１０２が高密度プラスチック材料から作られる。
【００２８】
次に、図１Ｂに、図１が示した装置１００の一部断面図が示される。図１Ｂに示されるように、設備１８０のハンドル１０２は内部１１８とケース１２０を備えている。流体配管１１０がハンドル１０２の内部１１８に位置し、容器（図示せず）から流体１２０を、流体配管１１０を通じてチップ１０４から出す。流体１２０は、一つかそれ以上の穴１２４がある流体配給チップ１２２を通じてチップ１０４から出る。ハンドル１０２の内部１１８に位置する真空配管１１２は真空配管１１２を通じる付属デバイスに位置する真空ポンプ（図示せず）から、真空を引く。真空配管１２には、皮膚表面から流体とその他破片を吸引するための真空エントリーポート１２６があり、チップ１０４に位置する。装置１００の内部１１８は、一つかそれ以上の電気管１０８ａ、１０８ｂがあり、それが電子基板１２８に電流を届け、それから一つかそれ以上の電極１３０（１３０ａ＆１３０ｂと示される）に電流を送る。チップ１０４に位置する研磨構造１３２には研磨エンドポーション１３４があり、研磨メディア１３６から構成される。デバイスのいずれかの内部１１８内に、電子制御回路１３８は、電極１３０への電流を制御するために配置される。
【００２９】
図２Ａ，図２Ｂ，図２Ｃには、装置１００のチップ１０４の理想的な実施例が示されている。図２Ａが示すように、チップ１０４の端が若干テーパーにするか、若しくは、他の実施例において、チップ１０４が円筒形状や楕円形、正方形か、四角形など他の形になる可能性もある。図２Ａが示すように、好ましくは、流体送達チップ１２２がドーム状で、複数の開口部１２４がある。それで、流体送達１２２で噴霧効果が実現される。（しかし、他の実施例における流体送達チップ１２２が平ら及び／又は単一の開口１２４を持つ。多重開口１２４が流体を皮膚に沿って均一に広げる。好ましくは、流体送達チップ１２２がチップ１０４に設置され、チップ１０４と電極１３０、研磨構造１３２を考慮し、それで流体送達チップが研磨構造１３２まで延長されるか、それをちょっと超える、または実質的に研磨構造１３２で流す。
【００３０】
ドームのチップ１２２は、血管の裏が損害され、皮膚を通して血が逃れることで真空吸引が皮下腫を起こすことがないように、皮膚の平面を作る。
【００３１】
真空１２４による皮膚の外傷と、静脈と動脈、毛細血管の破裂を最小限にする。理想的な実施例によると、真空エントリーポート１２６がチップ１０４に位置し、それで設備１００のチップ１０４が皮膚の表面に応用される時、チップ１０４と真空エントリーポート１２６の間に空間が作られ真空を作るので、それがいわゆる密接循環システム（ｃｌｏｓｅｄ  ｌｏｏｐ  ｓｙｓｔｅｍ）と呼ばれる工芸である。
【００３２】
好ましい実施例において、流体送達チップ１２２は、研磨構造１３２の研磨エンドポーション１３４と電極１３０で皮膚に流体を流す。それで、設備１００が皮膚に応用される時、皮膚が治療中に比較的平らな状態にある。本実施例によれば、研磨メディア１３６、真空１２４、流体１２０及び電流１４０は、皮膚を流すチップ１２４の多様な構造を有する本実施例について説明した配置で皮膚に適用される場合、皮膚を真空１２４の中に引っ張ることによる皮膚の損傷の可能性を最小限にする。
【００３３】
代替の実施例において、真空エントリーポート１２６がチップ１０４の別の位置に置かれ、最善の真空流体送達及び／又は皮膚の破片を取り除く機能を提供する。ただし、真空エントリーポート１２６が治療中に、もっと高い流体水準を保つよう、ハンドルのチップにて適切に位置を決める。それで、皮膚の破片を吸引し、治療部位から流体１２０が逃れる及び／又は皮膚から落ちることなく、流体に含まれる有効成分がもっと皮膚に吸収され、浸透することができる。
【００３４】
研磨構造１３２の位置はチップ１０４に関する。それで、研磨構造１３２の研磨エンドポーション１３４が皮膚の表面を実質的に流す。別の実施例において、研磨構造１３２がチップ１０４のエンドの位置に応じて高下調整され、ユーザの望む通りに皮膚と接触できる。
【００３５】
理想的な実施例において、治療の類型によって、構造１３２が実質的にスムーズな表面（研磨なし）から、高度研磨まで研磨メディア１３６の幅がある。図１Ｂ、２Ａと２Ｂが示すように、研磨構造１３２は流体送達チップ１２２と真空ポート１２６の外側エッジに位置し、そして電極１３０の内部にある。ただし、本発明によると、研磨構造１３２と電極１３０、流体送達チップ１２２と真空ポート１２６の配置が、当業者によく知られる通り可能である。
【００３６】
研磨構造１３２は一部または全体として再利用や廃棄できる。例として、ある実施例によると、研磨エンドポーション１３４と研磨メディア１３６は研磨構造１３２にとって絶対に必要である。その実施例によると、研磨構造は一部または全体として再利用や廃棄できる。研磨構造１３２が再利用できる場合、初回使用した後、消毒と洗浄してから再利用するように設計するのが望ましい。別の実施例において、研磨メディア１３６は取り外し可能で、研磨エンドポーション１３４に位置される。その実施例によって、研磨構造１３２は一般に再利用でき、研磨エンドポーション１３４にある研磨メディア１３６が廃棄できれば理想的である。
【００３７】
研磨メディア１３６サンドペーパーなどの皮膚の表面をすり減らすのに適当な材料からなり、粗い織物（皮膚グレードファブリックのような一般的に１００％の医療級のナイロンから作らおよび塗装と仕上げは、複数の化粧品皮膚剥離で使用されている）、炭素繊維ワイヤーブラシ、及びマイクロ針。材料を導通または非導通状態とすることができる。一実施例によれば、研磨メディア１３６は非導通サンドペーパーで構成されている。ある実施例において、サンドペーパーは白い酸化アルミニウムで、非導電性材料、医療グレードで容易に低コストで利用できる。その材料は高温にも耐え、研磨チップを生産する高容量・結合形成のために必要ないずれかのガラス固化過程における一般的に存在するようなものがあげられる。他の実施例によれば、酸化アルミニウムより柔らかい材料が好ましいので、その材料が皮膚に与える刺激が酸化アルミニウムより少ない。この実施例によれば、研磨メディア１３６は高分子ビーズで構成されている。一般的に、高分子ビーズが酸化アルミニウムより柔らかく、刺激が少ない材料である。しかし、本発明によれば、他の材料を研磨メディア１３６として使われることもあり、その材料が治療対象と治療目的によって選定される。したがって、異なる個人に対して、異なる材料を以上の材料の代用にしてもよい。他の実施例において、研磨メディア１３６は、導電性材料から構成されている。適宜の導電性材料とは、金属、カーボン、導電性高分子と導電性エラストマーを含むが、それらに限らない。
【００３８】
研磨エンドポーション１３４は様々な適宜厚さと直径を持つ。一実施例によれば、研磨剤は研磨構造１３２の研磨エンドポーションを上から被覆する。幾つかの実施例では、研磨構造１３２及び研磨エンドポーション１３４単位が、アクリロニトリル・ブタジエン・スチレン（ＡＢＳ）のようなプラスチック単一構造から構成される。この実施例によれば、研磨メディアは、研磨エンドポーション１３２に付着した研磨剤コーティングか、研磨メディア１３６が研磨構造１３２と研磨エンドポーション１３４の単一構造である。一実施例によれば、研磨メディアは、研磨エンドポーション１３４に付着している研磨粒子から構成され、研磨メディア１３６の厚さが研磨剤粒子のグリットの大きさによって決定される。この実施例によれば、研磨粒子の通常サイズは３００〜５０グリット（５０〜３００μｍ程度）、約１００−１２０グリットが典型的であり、カーボランダム（酸化アルミニウム）、炭酸水素ナトリウム、重合体粒子等で構成することがある。粗大粒子（グリット範囲の下部（約３５〜５０で、一般的１００以下）は初期治療で使用できる。または皮膚の粗い部位（腕とか）にて使用される。より微細な粒子間（約３００とそれ以上のグリットの高範囲で）はその後の処理に使用される。また、研磨エンドポーション１３４にローレット、機械加工、レーザー治療やその他機械的または化学的な治療で、研磨エンドポーション１３６のエンドを治療し、必要な研磨メディア１３６を提供する。その１３６は研磨エンドポーションと研磨エンドポーション１３２と一体構造を有する。好ましい実施例において、研磨メディア１３６は、グリットサイズが約１２０かそれ以下であること（直径約０．００４４インチ）。
【００３９】
一般的に、研磨エンドポーション１３４の厚さは０．５ミクロンから１５０ミクロンの範囲にあるが、１５ミクロンから１２０ミクロンの範囲にあるのが好ましい。研磨エンドポーション１３４の直径は、用途の種類によって可変である。例えば、小さい面積で透過しようとする場合、研磨エンドポーション１３４は１から２５ミクロンまで、幾つかの直径を有する。浸透する面積が大きくなると、研磨エンドポーション１３４は、０．１−５インチ（２．５ｍｍ−１２７ｍｍ）のような数インチの直径を持つ。
【００４０】
本発明によれば、電流１４０（図示せず）は設備１００から１つまたは複数の電極１３０を介して皮膚の表面に供給される。電極１３０は、単一の電極かあるいは複数のノードまたはその組み合わせであり、形状・寸法の多様性を持ち、さらにノードやバーなど多様な形状と次元がある。それは当業者にはよく知られている。
【００４１】
皮膚向けの電流として、本発明によって利用されるものは以下を含む：
【００４２】
ａ．エレクトロポレーション。すなわち細胞浸透性を向上させるために使われる電気パルスである。
【００４３】
ｂ．微小電流。微小電流とは、非侵襲的治療法で使われる小電流で、電極をツボに応用される。一般的には１０〜５００ｍｉｃｒｏａｍｐｓ（Ｕａ）を皮膚の表面に応用し、最適な効果を求める。皮膚に応用される電流は、顔の筋肉に「見える」ような収縮を引き起こさない。一部の応用例において、エレクトロポレーションとは、皮膚の表面に微小電流を適用するプロセスを意味する。
【００４４】
ｃ．イオン導入。イオン導入する治療型の経皮薬物送達における電流が皮膚に適用される大きな極性または親水性分子およびペプチドの吸収を高める。例えば、インスリン及び治療を制御する。本発明によれば、ガルバニック電流が皮膚の表面に接触してイオン化するエージェント、適切な電極により、移動電極のそれと反対電荷のイオンの組織を早める。従って、皮膚または親水性極性を促進剤、皮膚に届けられる。
【００４５】
ｄ．ソノフォレーシス。半固体化合物が表皮、真皮と皮膚付属部分への吸収（経皮投与）が指数関数的に増大するプロセスである。ソノフォレーシスは、超音波マイクロ振動刺激は皮膚の表皮内・外用剤として分子全体の運動エネルギーを増加させる。皮膚促進剤は、超音波振動子（すなわち、電極）からの超音波エネルギーを皮膚に転送し、そして皮膚を通して薬物輸送を強化するために、カップリング剤（ジェル、クリーム、軟膏）と混合してもよい。
【００４６】
ｅ．ガルバニック。ガルバニックまたはガルバニック電流はイオン導入のプロセスで使用される電流である電流のことをいう。
【００４７】
ｆ．超音波。超音波や超音波電流は、ソノフォレーシスに使われる電流のことをいう。超音波は人間の聴力の上限値を超える周波数を持つ周期音圧である。この上限は、人によって異なるが、健康で若い大人の場合が約２０キロヘルツ（２０，０００ヘルツ）となり、本発明においては、電極を介して与えられる超音波流速を記述するのに有用な下限が２０ｋＨｚとなる。
【００４８】
ｇ．超音波キャビテーション。超音波キャビテーションとは、ボディー用３ＭＨｚと１ＭＨｚ、顔用の１．４ＭＨｚの超音波周波数を有する先進超音波マシンであり、その超音波の波長が４７ＫＨｚである。超音波キャビテーションにおいては、皮膚が深層においても引き締まる場合、（キャビテーション）治療後、セルライトと脂肪が局在する形で本当の結果があれば、超音波を皮膚の表面に作用できる（３ＭＨＺの超音波）。腹とお尻、太ももの周長を副作用なしに縮むことによって証明される。２０から７０ＫＨｚまでの一定の範囲にある超音波キャビテーションは、「キャビテーション」効果を引き起こす：脂肪内とセリュライトの間質性流体において蒸気のマイクロバブルを作る集中的な高エネルギー波。
【００４９】
ｈ．音響キャビテーション。音響キャビテーションとは、流体を通して音波を送ることによって周囲の圧力が変化できる流動しないシステムである。超音波の音波は交互に希薄化と圧縮からなる。希薄サイクル時（低圧）において、多くの微小気泡が成長する一方、圧縮サイクルの間（高圧）各バブルが崩壊や爆縮を起こす。
【００５０】
ｉ．メソセラピー。メソセラピーとは、複数の小さい注射処理で、医薬品やビタミン等が皮膚の下にある組織の中胚葉層に届けられ、脂肪やセルライトの減少を促進する。
【００５１】
ｊ．高周波。高周波エネルギーのビームで加熱することによって、皮膚の深層をターゲットにする処理である。皮膚に刺激を与え、特に皮膚の弾力性を与える物質であるコラーゲンを作成する。高周波の振動が皮膚の深層の水の分子が振動する原因となる。その摩擦は続いて加熱効果を引き起こす。コラーゲン繊維が熱を受けると縮んで引き締まり、治療の後も新しいコラーゲンが生成する。
【００５２】
ｋ．冷熱交代療法。電流などの手段を利用し、異なる温度を調整し、高温（華氏１４０度まで）と低温（華氏５度まで）を幅に、コラーゲン繊維を和らげる及び／又は引き締める事で皮膚表面を処理すること。
【００５３】
本発明の好ましい実施例においては、皮膚にエレクトロのような微小電流が応用される。本実施例によると、設備１００の電流は１０〜５００ｍｉｃｒｏａｍｐｓ（Ｕａ）間で電力の波形と設定する。電流１４０（図示せず）は設備１００を通じて、そして１つかそれ以上の電極１３０を介して皮膚の表面に届く。治療が特定の部位でほぼ固定されるか、動きの程度が揺れる線に沿って変化する。
【００５４】
もう一つの実施例によれば、電流の２つ以上の周波数の組み合わせは、装置１００からの患者に適用されている。したがって、幾つかの実施形態では、装置の異なる複数の周波数を届けることができる（すなわち、現在のタイプ）か、または個々の同時適用される。例えば、超音波素子電流１００からの患者に適用されるかもしれませんが、同じ患者への装置１００から微小電流である。治療の１つの治療領域においては、以上の処理を複数の領域には、このような発生する微小電流を顔、腕への超音波の電流である。周波数の異なる複数の電流の応用のための１人の患者の上で使われるかもしれません。例えば、超音波と微小電流で、流体皮膚の治療と異なる方法がある。これらと他の電気のモダリティ装置１００の同時併用により効果的な治療を提供することにある。
【００５５】
再び図１Ｂに参考すると、流体１２０が流体容器（図示せず）から出されるが、その容器がハンドルの一部か、またはプラスチックやガラス管など別の容器である。流体は、流体配管１０８を通じて、設備１００のチップ１０４における流体供給チップ１２２から出る。流体供給は治療剤を搭載して皮膚の洗浄装置に使用されるか、治療薬そのものである。そして／あるいはその流体が電極１３０を介して電流１４０の導入促進のためのイオン性エージェントである。流体には皮膚洗浄と皮膚治療または電流強化が目的で、１つまたは複数の皮膚増強剤及び／又は導電性成分、または他の適切なエージェントを含む。または現在の配達の円滑化のために、水、塩、イオンまたは非イオン界面活性剤、防腐剤、アルコール、グリセリン、ゲル及び他の類似したエージェントがあげられる。それらのエージェントが多様な混合物になり、希望の用途に応じて、多様な電気伝導レベルを有する流体に形成される。好ましくは、本発明に係る方法に用いられる流体の少なくとも一方が「高導電性流体」または「高伝導率流体」で、すなわち伝導率が約１，０００〜１００，０００（μＳｉｅｍｅｎｓ／ｃｍ）であり、電流の送達を促進する流体を意味する。「低伝導率流体」である他の流体は、伝導率が０．１〜およそ９９９（μＳｉｅｍｅｎｓ／ｃｍ）で、本発明の別の用途によって清掃及び／又は皮膚増強か治療剤の送達などその他用途に使われる。本発明によって、皮膚を通して導電性のパスを提供するために、高導電性流体を用いたが、好ましい実施例において、５００から約５０，０００μＳｉｅｍｅｎｓ／ｃｍまでの導電性を有する流体は使用される。
【００５６】
装置１００で使用される療法か皮膚増強液が、本発明によって多様な治療エージェントになれる。例えば、流体が皮膚の治療液か、液体ローションや液体ビタミンまたはその混合物になる。また、流体は薬理学的に活性剤である可能性もあり、適当な濃度の化学物質を運ぶ。そのようなエージェントの例にはＴＣＡ（酢酸）、アルファヒドロキシ酸（ＡＨＡ）グリコール酸、乳酸、クエン酸、フェノール、単独または他のエージェントか流体との組み合わせを含む。他の療法か皮膚増強エージェント例には、ａ型ボツリヌストキシン、リン脂質、アミノフィリン、ヒアルロン酸、Ｌカルニチン、ビタミン、アミノ酸、コラーゲン、カイン、ヘパリン、エラスチン、メソ療法、グルタチオン、ホルモン補充剤、ヒアルロニダーゼ、ＭＴＥ−４（銅マンガン亜鉛硫酸クロム）、イオン性の皮膚組織成長ゲル、酵素、ペプチド、ステロイドを含む。
【００５７】
他の成分には、果物及び／又は植物由来の酵素と幹細胞等、植物と果実由来の成分を含む。マイクロダーマブレーションは皮膚表面を研磨することで、制御される皮膚の創傷で治癒反応を引き起こすこと。既知の治癒や、コルチゾンとアロエエキスなどのような他の抗炎症成分は、治癒反応時間を増やすために用いられる。同時に、抗真菌、アンチウイルス、抗菌及び殺ダニなどの効用で、にきびなどの皮膚感染症に対して、単独か他の無菌流体・薬及びその他皮膚増強及び／又は治療薬と組合せて使われる。
【００５８】
その他エージェントと好ましい粘度パラメータは"Ａｄｖａｎｃｅｄ  ｄｒｕｇ  ｄｅｌｉｖｅｒｙ  ｒｅｖｉｅｗｓ"，５６  （２００４）６５９−６７４を参照してほしい。
【００５９】
再び図１Ｂが示すように、真空１２４が設備のチップ１０４にある真空管１１２及び真空装置のエンドポート１２６を通じて、真空ポンプ（図示せず）から皮膚の表面に応用される。好ましくは、装置１００へ真空１２４を供給する真空ポンプは最大流量２ｃｕ．ｆｔ／ｍｉｎで２．９Ａの流量である。他の実施例も可能だが、１２０Ｗの定格電力と６０Ｈｚの周波数で、好ましくはＲｏＨＳ適用である。一般的には、治療中に使用され、患者さんの皮膚表面（又は真上）に適用される真空１２４は連続流、好ましくは真空圧力を増加または減少させる流量制御弁で調節されることができる。
【００６０】
次に、図３Ａが示すように、皮膚研磨装置１００は、本発明の好ましい実施例によって、取り外し可能、交換可能そして付属可能な複数のチップがある。図３Ａが示すように、装置１００のチップ１０４は複数のネスティング（例えば、相互接続される）構造から構成される。その構造はハンドル１０２から着脱可能、取り付け可能な構造になっている。チップ１０４の外周構造１４２は、チップ１０４、配線の基端で電極１３０を備える（図示せず）を届けるため電流１４０（図示せず）に電極１３０。外部構造１４２内に位置し、中間構造１４４は、研磨構造１３２である。内部構造、流体吐出１４６のチップ１２２と真空のエントリーポート１２６から構成される。構造１４２、１４４、１４６（すなわち、チップ）が組み立てられる場合、装置１００のチップ１０４は、図１Ａ，図１Ｂ，図２Ａ−２Ｃが示すように構成されている。
【００６１】
すなわち、内部構造は１４６のチップの中心に位置している。外部構造１４２のチップの外周部に位置している。中間構造１４４内部構造１４６と外部構造１４２との間に位置している。外部構造の中間構造１４２、１４４、１４６と、内部構造が互いに同軸として輪状になっている。好ましくは、外部構造１４２と１４４がそれぞれチップにて外部と中間の輪を形成する。外と中間の輪状が円形または円形以外の形状になる。したがって、研磨エンドポーションが中間の輪にて形成し、流体吐出チップ１２２と流体供給の真空エントリーポート１２６を囲む。電極１３０は、中間輪での研磨チップを取り囲むように外輪に並んでいる。
【００６２】
外部構造１４２、中間構造１４４と内部構造１４６は、圧縮金具、ネジなどの適した接続でハンドル１０２と接続される。好ましい実施例等においては、外部構造１４２、中間構造１４４、および内部構造の一つか複数がステンレス鋼で構成されている。好ましい実施例においては、中間構造１４４は再利用できるステンレス鋼の研磨構造１３２から構成され、研磨エンドポーション１３４を有し、ダイヤモンド砥被覆を有する研磨メディア１３６がある。もう一つの実施例では、中間構造１４４は使い捨て（できれば半透明）のプラスチック研磨構造１３２から構成される。１３２は使い捨ての研磨メディア１３６があり、研磨エンドポーション１３４に位置する。もう一つの実施例では、流体吐出チップ１２２と真空エントリーポーション１２６からなる内部構造は、透明、着脱式および／または使い捨ての一つかそれ以上の性質を有する。外側構造１４２、中間構造１４４と内部構造１４６はここで取り外し可能、交換可能、添付可能と説明されるが、当業者によく知られるように、外部構造１４２、中間構造１４４、内部構造１４６の一つかそれ以上はハンドル１０２に永久に固定されるか、簡単に取り外せない。しかし、他の実施例においては、構造１４２−１４４の１つまたはすべては独立した接続である。例えば、装置の電流をノードとしてハンドル１０２で構成することができる（すなわち、電極１３０）は、流体吐出部分１２２とハンドルの外側のエッジを作る１３２砥粒構造に囲まれている。これはちょうど逆の配置は、図３Ａが示したように、そして当業者によく知られるように、図が示した各種の情報の相互関係と他の構成例により本発明の範囲内である。
【００６３】
次に図３Ｂが研磨構造１３２の他の実施例を示す。この実施例によれば、研磨構造１３２の研磨エンドポーション１３４は、一つかそれ以上の溝１３５から構成される。溝１３５の形状が丸いか正方形など、異なる可能性があるそれは、溝１３５に延伸してより効果的に皮膚を研磨し、皮膚破片を真空に導くための設計である。好ましくは、真空１２４の密閉を保つため、溝１３５の縁が均一で、研磨構造１３２が皮膚に応用される時空気が抜けないようにする。当業者によく理解されるように、溝１３５の厚さや半径、形状やデザインは異なる皮膚タイプと用途に応じて、多様である。本実施例によれば、研磨エンドポーション１３４及び溝１３５を皮膚に押すことで、吸引が実現される。溝１３５が毛穴において、面皰抽出器として作用する。例えば、研磨エンドポーションの溝１３５を皮膚に押すと、油や皮脂が毛穴から解放される。
【００６４】
図４を参照して、広角チップ１０４を有する装置１００の部分的な側断面図が示される。図４が示すように、同一の番号は、図１Ｂに示したと同様の特徴を意味する。その違いは下記の通り。本実施例によれば、装置のチップ１０４が広角で、流体１２０が開口部１２４ａ−１２４ｄを複数有する吐出チップ１２２を通じてチップ１０４を出る。本実施例によれば、広角チップは、流体送達面積と穴の増加を実現させる。装置１００の内部１１８は、一つかそれ以上の電気管１０８ａ、１０８ｂがあり、それが電子基板１２８に電流を届け、それから一つかそれ以上の電極１３０に電流を送るか、直接電極へ送る。チップ１０４が広角であるため、電極がチップ１０４との中心から遠く位置される。そして一部の実施例において、そのデザインは図１Ａと１Ｂが示すテーパー状のチップ１０４より広い電極１３０かそれを追加させることが実現される。広角チップ１０４内に位置する研磨構造１３２は、研磨エンドポーション１３４があり、研磨メディア１３６を備えている。電極１０８と同様に、研磨エンドポーション１２４及び研磨メディア１３２は、図１Ａ及び図１Ｂが示すように、テーバー状チップ１０４より装置の中心から遠くに位置している。本実施例は、大きなチップ面積が使えるような、より大きな表面積のある治療部位に応用できる。外部構造１４２と中間構造１４４、内部構造１４６からなる様々なチップは、図４が示すように、着脱可能、交換可能、取り付け可能で、そして本文が記述する通り、別の寸法の他の交換可能なチップ１４２−１４４と交換できる。
【００６５】
次に、図５Ａには、本発明の他の実施例によって、皮膚研磨装置１００は、取り外し可能、交換可能な複数のチップを有すると示される。下記が明記しない限りは、図３を参照して同一の参照番号は、同様のエレメントを意味する。図５Ａが示すように、装置１００のチップ１０４は、から構成され、複数のネスティング（例えば、相互接続される）構造から構成される。その構造はハンドル１０２から着脱可能、取り付け可能な構造になっている。図５Ａが示すように、電極１３０ａ、１３０ｂは同心の円で、チップ１０４の外周構造１４４内に位置している。外部構造１４４内に位置し、中間構造１４４は、研磨構造１３２である。内部構造１４０は、流体吐出チップ１２２と真空エントリーポーション１２６から構成されている。図５Ｂは、図５Ａが示す同心円になる電極１０８ａ，１０８ｂがある装置１００の部分的な側面切断を示している。構造１４２、１４４、１４６（すなわち、チップ）は、装置１００のチップ１０４は、図のように構成を持っています。外部構造１４２、中間構造１４４と内部構造１４６は、圧縮金具、ネジなどの適した接続でハンドル１０２と接続され、図５Ａ、５Ｂが示すように、チップ１０４は、ハンドルに対してほぼ直線的である。しかし、他の実施例において、チップ１０４の角度は図１Ａが示すように、広いテーパーか、図４が示すように広角になる。図５Ａが示すように、構造１４２−１４６ステンレス鋼のような金属か、いかなる適切な透明で、分離式及び／又は使い捨て、または取り外し可能なプラスチックから構成される。または別の実施例が説明するように、当業者がよく知るように、実質的に固定される。
【００６６】
この電極１３０は、図５Ａと他の図が示すように、外部構造１４４に位置すると示されるが、電極１３０の内部構造１４６に配置されることができると、流体吐出部１２２および／または、研磨ポーション１３２が外側と中間体構造１４２と１４４に置かれるが、さまざまな組み合わせで、取り外し可能かハンドルの着脱可能な部分であり、当業者によく知られる。
【００６７】
図６Ａは、本発明の他の実施例による皮膚研磨装置１００の別の実施例を示す。図６Ａに示されるように、装置１００に分割式ハンドル１０２ａと１０２ｂがある。図６Ｂは図６Ａのハンドル１０２ａと１０２ｂを示す断面図である。図６Ｂが示すように、ハンドル１０２ａの上部は、流体配管１１０と真空管路１１２から構成される。ハンドル１０２ｂの底部は、電気管１０８ａから構成される。図６Ｂが示す装置１００のチップ１０４は、本文が開示する１つまたはすべての構成を有する。装置１００のチップ１０４の取り外し可能・交換可能な外部、中間と内部構造１４２、１４４と１４６は、図３-５が示すように含まれる。
【００６８】
図１−６が示すように、各実施例は電極１３０、研磨構造１３２と流体送達１２２から構成されるチップ１０４が記述される。ただし、別の実施例において、設備は上記のフィーチャーの２つしかない。当業者によく知られるように、電極１３０と流体送達１２２の組み合わせが挙げられる。
【００６９】
もう一つの実施例において、患者さんの皮膚表面を治療する方法が提案される。その方法は、本発明に基づく設備を使って、患者さんの皮膚表面を研磨する：皮膚表面に流体を送達する；そして皮膚表面に電流を使う。それらのステップは本文が記述する順で行われるか、当業者によく知られるように、患者さんに実施する方法によって順を変える。
【００７０】
好ましい実施例において、第１、装置１００の研磨構造１３２の研磨エンドポーション１３４を、患者さんの皮膚の表面に応用する。真空で、研磨メディアと過剰な皮膚など、残存の破片を皮膚の表面から取り除く。そのオプションは治療の研磨ポーションの後も過程中でもいい。そして、設備の研磨エンドポーション１３４及び研磨メディア１３６を皮膚の表面に接触させ、装置１００の研磨エンドポーション１３４で、皮膚の表面を移動する。治療の特定の部位でほぼ固定されることができるか、動きの程度は様々で、包括的な線にする。次に、装置１００の流体吐出チップ１２２を介して、流体を皮膚表面に送達する。そして、電流は電極１３０から皮膚の表面に送られ、皮膚の表面に適用される。電流１４０は、湿れた肌も乾いた肌も適用される。
【００７１】
上記の方法で逐次的に行うこととしているが、例であり、本発明の方法のための可能なプロトコルの１つだけである。従って、本発明は、患者のニーズと、特定の患者に与える治療によって各種の処理の方法によれば、皮膚剥削術、流体送達、及び／又は電流配達を並行してまたは一回にひとつで、任意の順で行う。
【００７２】
図７−９が示すもう一つの実施例は、ハンドル１０２に着脱可能なチップ２０４の調整を説明する。チップ２０４は多様な機能を提供する多機能チップである。チップ２０４の皮膚接触面は傾斜して、外部構造２４２と中間構造２４４、内部構造２４６は同軸で、傾斜面にて設置される。皮膚接触面は平らである。
【００７３】
先端部２０４の外周構造２４２は、研磨構造２３２から構成される。そして研磨構造２３２の研磨ポーション２３４はひとつかそれ以上の研磨エッジ２３６ａ、２３６ｂから構成される。研磨構造は砥粒のクラウンを形成する。図７において、研磨構造２３２は内研磨エッジ２３６ａと外側の研磨エッジ２３６ｂから構成され、その内研磨エッジ２３６ａと外側の研磨エッジ２３６ｂが輪になっているが、非円形でも良い。研磨構造２３２の研磨ポーション２３４は研磨エッジ２３６Ｃから構成され、それぞれ隙間があり、内部研磨エッジ２３６ａと外側の研磨エッジ２３６ｂまでつなぎ、クラウン形の研磨構造を形成する。複数の溝２３５が研磨エッジ２３６ｃのつなぐ各ペアの間に形成される。溝２３５の形状は、丸か四角いなど、異なることがある。溝１３５は効果的に皮膚を研磨するように、そしてバキュームに皮膚の破片をよく導くために伸ばすように設計される。もちろん、研磨メディア２３６は、研磨構造２３２の研磨エンドポーション２３４において、内側研磨エッジ２３６ａと外側の２３６ｂの間に交換できるものを配置する。
【００７４】
中間構造２４４は、リング状に配置された電極２３０を備えている。少なくとも一つの電極リング２３１が設けられ、電極リング２３１にて電極１３０が配置される。図７において、２つの電極リング２３１、すなわち内側と外側の電極リングが設けられ、外側電極リング２３１は内研磨エッジ２３６ａに囲まれる。内側電極２３１は、外部電極リング２３１内に取り囲まれる。各電極リング２３１はエレクトロ、微小電流、イオントフォレーシス、ソノフォレーシス、電撃、超音波、超音波キャビテーション、メソ治療、高周波及び／又は冷熱療法の少なくとも一種を提供する。２つの電極リング２３１はそれぞれ２つの異なる機能を提供する。したがって、電極２３０の２つの異なるセットは、内側と外側電極リング２３１にそれぞれ設けられる。例えば、電極リング２３１の一方は電気刺激機能を与え、もう一方の電極リング２３１は発熱する。
【００７５】
図１０が示すように、中間構造２４４における単独電極２３１が交換できることは納得できる。単独の電極２３１は図１０において、ソニックブラッシュチップになる。
【００７６】
電極リング２３１は全部交換・着脱及び／又は廃棄できる。各電極２３１は、２３１から伸ばしたラッチ２３１ａがあり、その２３１ａはチップ２０４の皮膚接触傾斜面にて電極２１３に着脱可能な形で装着されるために、チップ２０４の側面に、ラッチスロット２３２ａにスロットインする。
【００７７】
ハンドル１０２に、ターミナル２３９があり、制御サーキット１３８と電気で繋がれる。チップ２０４がハンドル１０２に装着される場合、中間構造２４４にある電極２３０は２３９に電気で接触し、接続する。
【００７８】
内部構造２４６は流体送達構造から構成される。その流体送達構造は、流体吐出チップ２２２と真空エントリーポート２２６から構成される。流体吐出チップ２２２は最低１つの開口部２２４を有する。その２２４はチップ２０４の皮膚接触傾斜面にて配置される。真空エントリーポート２２６はチップ２０４の皮膚接触傾斜面にて配置され、開口部２２４から遠く離れる。
【００７９】
中間構造２４４から構成される流体電極端子２３３の開口部２２４に向けて拡張への流体の電気流体が開口２４４を右に排出される。
【００８０】
さらに、内部構造は２４６開口部２２４と真空エントリーポート２２６に迂回路を形成している流体間の拡張流体送達壁２４５の複数から構成されている。流体の場合には開口部２２４から吐出された流体誘導と真空入力ポート２２６に流体を迂回路に沿って巡回する。したがって、流体の迂回路の開口部２２４から真空入力ポート２２６への流体の移動距離を長くする。
【００８１】
図７において、２つの流体送達壁２４５は反対する両側から延設されている。すなわち内部構造２４６を両面部分と中間部分に分ける境界壁の第１と第２の両側である。境界壁の内部構造２４６の境界である。したがって、境界壁の内部構造２４６および中間構造２４４との間の壁である。流体送達壁２４５のコーナリングの第１の領域を形成する第１の側面の境界壁の第２側から引き出されている。もう一つの流体配信壁２４５コーナリングの第２の領域を形成する第２の側面の境界壁の第１の側から引き出されている。開口部２２４と真空エントリーポート２２６の２つの側断面に形成され、流体の迂回路の両端に配置される。したがって、流体の一側部から中央部を通してのもう一つの側面部につき、流体が前記第１および第２のコーナリング領域を通過する。好ましくは、流体送達壁２４５が平行に延びる。したがって、迂回路の流体の路線が千鳥状で、開口部２２４から真空エントリーポート２２６にジグザグの道である。
【００８２】
付属する真空エントリーポート２２６ａは、流体迂回路の開口部２２４と真空エントリーポート２２６との間に設けられている。真空エントリーポート２２６ａのサイズは真空エントリーポート２２６より小さい。付属の真空エントリーポート２２６は真空エントリーポート２２６が流体の残りを引く前に、流体を少量引く。好ましくは、付属の真空エントリーポート２２６は第２のコーナリング領域の直後に位置する。
【００８３】
好ましい実施例において、外部構造２４２、中間構造２４４と内部構造２４６は皮膚接触面にてチップ２０４と統合される。電極のリング２３１だけが中間構造２４４に交換可能に取り付けられている。研磨メディア２３６は外部構造２４２を設けるオプションである。研磨メディア２３６なしで、内面研磨エッジ２３６ａ、外研磨エッジ２３６ｂ、接続研磨エッッジ２３６ｃは研磨動作を行う。
【００８４】
本発明の装置は、基本的に電流で血液の循環を刺激し、液体の吸収を増やす。それは運動や熱で発汗する時に肌の吸収と似ている。そんな場合、透水性がよくなる。電流を使って、細孔を軟化すると類似する効果を起こし、皮膚の奥まで液体を浸透させる。
【００８５】
図１１は、皮膚接触傾斜面のあるチップ２０４の代替策を示し、開口部２２４と真空エントリーポート２２６と流体の迂回路を含むその内部構造２４６が変わらない。外部構造２４２および中間構造２４４のみが交換される。電極リング２３１は外部構造２４２にて配置されて、研磨構造２３２は中間構造２４４にて配置されている。
【００８６】
図１２は、チップ２０４のもう一つの選択肢を示している。開口部２２４を含む内部構造２４６は、真空エントリーポート２２６と流体の迂回路は変わらない。電極リング２３１は外部構造２４２にて配置される。研磨構造２３２は中間構造２４４にて配置される。図１２が調整した内容は、研磨メディア２３６を研磨エンドポーション２３４に配置され、流体送達壁２４５の上部表面にあり、チップ２０４の研磨表面を増やすことである。
【００８７】
図１３にある別の実施例は、ハンドル１０２に着脱可能な形で装着されるチップ３０４の変形例を示す。チップ３０４は電極皮膚治療チップで、電極膜３０４から構成され、皮膚接触傾斜面にて配置される。３０４はエレクトロ、微小電流、イオントフォレーシス、ソノフォレーシス、電撃、超音波、超音波キャビテーション、メソ治療、高周波及び／又は冷熱療法など、特定な電流を発する。電極膜３０４はまた、皮膚治療用の特定の光波を生成する軽い膜でもある。電極皮膚治療チップ３０４は、多機能チップ２０４を外してからハンドル１０２に装着できる。そのため、２０４と３０４は交換可能である。ここで注目すべきなのは、３０４を使うとき、流体吐出はオフにできない。したがって、開口部２２４と真空エントリーポート２２６は、電極皮膚処理チップ３０４に配置できない。
【００８８】
図１４にある実施例は、ハンドル１０２に着脱可能に結合するチップ４０４の変形例を示す。チップ４０４はマイクロニードルで皮膚を処理するチップで、多機能チップ２０４と同じ複数の機能を提供する。図７にある多機能チップ２０４と同様に、皮膚のマイクロニードル治療チップ４０４には皮膚接触傾斜面があり、外部構造２４２、中間構造４４４及び内部構造２４６が同軸で傾斜面に配置される。チップ４０４の外部構造２４２は、研磨構造２３２から構成されている。内部構造２４６は、流体吐出チップ２２２と真空エントリーポート２２６を備えている。多機能チップ２０４とマイクロニードル皮膚処理チップ４０４間の差は、複数のマイクロニードル４３１を有する中間構造４４４にある。その４４４が外部構造２４２と内部構造２４６との間に設けられる。
【００８９】
マイクロニードルアセンブリ４３０はチップ４０４にて対応される振動子４３２から構成され、皮膚を通して流体を浸透させる実施例の構造である。振動子４３２は、制御回路１３８に接続され、マイクロニードル４３１に連結されている。動作時に、振動子４３２は、マイクロニードル４３１を振動させる振動力を発生するので、マイクロニードル４３１が皮膚の表面を往復して穿刺する。また、振動子４３２は音波の振動子として、マイクロニードル４３１を振動させる。したがって、マイクロニードル皮膚治療チップ４０４は、しわ減少と顔の若返り、肌の色を改善するための穿刺マイクロ治療を提供する。マイクロニードル皮膚治療チップ４０４は、日焼け、ニキビ、外傷などによる皮膚の損傷を修復する。マイクロニードル４３１を介して皮膚に小さく穿刺することで、制御された損傷を修復するように、コラーゲンを生成するように、皮膚を刺激して創傷治癒反応を引き起こす。マイクロニードルアセンブリ４３０は、チップ４０４の側壁にあるニードルレベリング調整器４３３から構成され、マイクロニードル４３１による皮膚穿刺の深さがニードルレベリング調整器４３３によって平準化と調整される。
【００９０】
図１５はマイクロニードル皮膚治療チップ５０４の代替実施例を示す。マイクロニードル皮膚治療チップ５０４は、傾斜した皮膚治療面を持ち、そこで外部構造２４２と中間構造５４４、内部構造５４６は同軸で、皮膚治療傾斜面に配置されている。チップ５０４の外部構造２４２は研磨構造２３２から構成される。
【００９１】
中間構造５４４は５２４と真空エントリーポート５２６、そして付属する真空エントリーポート５２６ａを持つ流体送達構造から構成される。
【００９２】
さらに、内部構造５４６は流体送達壁５４５から構成される。５４５は開口部５２４と真空エントリーポート５２６の間を通して、流体迂回路を作る。流体が５２４から排出されてから、迂回路に沿って誘導され、真空エントリーポート５２６まで行く。それで、流体迂回路は５２４から真空エントリーポート５２６までの流体迂回路を延長させる。流体送達壁５４５は境界壁の反対する両側の間を通して伸ばす。その境界壁は中間構造５４４をループの構造に分割する。そこで、開口部５２４と真空エントリーポート５２６はそれぞれ流体迂回路の両端に配置される。よって、流体は内部構造５４６を巡って、開口部５２４から真空エントリーポート５２６まで行く。
【００９３】
内部構造５４６は、複数のマイクロニードル５３１を持つマイクロニードルアセンブリ５３０から構成される。５３１は５４６の皮膚治療面に配置される。振動子４３２とニードルレベリング調整器４３３は図１４が示すように、マイクロニードルアセンブリ５３０にて応用される。そのため、振動子４３２は振動力を発し、マイクロニードル５３１を振動させる。それでマイクロニードル５３１が皮膚の表面を往復して穿刺する。マイクロニードル５３１による皮膚穿刺の深さを調整するために、マイクロニードル５３１はニードルレベリング調整器４３３によって調整される。
【００９４】
多機能チップ２０４と電極皮膚治療チップ３０４、４０４は交換可能である。
【００９５】
図１６は本発明の方法のもう一つの実施例を示す。経皮流体送達方法はハンドル６１０、多機能チップ６２０、流体送達構造６３０とチップドライバー６４０から構成される。
【００９６】
この実施例にあるハンドル６１０は、ケース６１２、ハンドグリップ６１４から構成される曲げるハンドルで、ケース６１２から斜めに伸ばされる。ケース６１２は、中空のケースであり、前端に作業端があり、後部に連通端がある。ハンドグリップ６１４はケース６１２から伸ばされ、作業端と連通端の間を通す。ケース６１４とハンドグリップ６１２の間の角度が９０度以下になる。ケース６１２は、着脱式のキャップ６１６から構成される。その６１６は６１２に着脱可能な形で装着される。そこで、作業端は着脱式のキャップ６１６で定義される。着脱式のキャップ６１６の作動端には、クラウン形の外側エッジ６１８があり、皮膚にプレッシャーをかけてプレッシャー吸引を実施する。
【００９７】
ハンドル６１０は人間工学的に設計されて、ハンドル６１０が右・左利きのユーザに対応する。ケース６１２は親指人差し指で持たれる。そしてハンドグリップ６１４は図１６が示すように中指と薬指、小指、手のひらで持たれる。デバイスの動作時には、ユーザの手は治療面にて休まない。曲げるハンドル６１０はユーザの手のひらを支えることで、ユーザの指がケース６１２の作業端をもっと正確に制御してもらう。それはすなわち、ハンドグリップ６１４が手のひらをサポートすることで、ケース６１２を持つ時に指が耐えるプレッシャーを軽減させる。
【００９８】
多機能チップ６２０の皮膚治療面は、ハンドル６１０の作業端に位置し、ユーザの皮膚に接触できる。図１６において、複数の研磨エレメント６２２は皮膚治療面に応用される。別のモードにおいて、複数のマイクロニードルを持つマイクロニードルアセンブリ６２４は皮膚治療面に配置される。
【００９９】
さらに、多機能チップ６２０は電極モジュールから構成される。そのモジュールは、着脱可能な形で皮膚治療面を取り囲む複数の電極６２６から構成される。電極６２６は皮膚接触面を取り囲むように、リング状に配置されている。電極６２６には、クラウン型の外側のエッジ６１８に隣接する着脱式のキャップ６１６の内側に内蔵されている。したがって、電極６２６は着脱式のキャップ６１６の着脱可能な係合によって交換・着脱及び／又は廃棄されることができる。すなわち、電極モジュールの電極６２６は皮膚治療面に位置する研磨エレメント６２２又はマイクロニードルアセンブリ６２４を囲んで配置される。真空入口６２１は、電極モジュールの電極６２６と、研磨エレメント６２２又はマイクロニードルアセンブリ６２４の間で形成される。
【０１００】
電極６２６は、イオントフォレーシス、エレクトロ、超音波またはフォトメカニカル波などの、所望の機能を生み出す。電気穿孔法については、高電圧の電流を皮膚に応用して、脂質の瞬間的な再編成によって、細胞間二重層で親水性細孔が生じる。浸透法については、超音波パルスがプローブを通して皮膚に届き、キャビテーション気泡の生成による脂質二分子膜の流動化を起こす。イオン導入については、アクティブ電極と基準電極を通る電流で、アクティブ電極から、薬物を皮膚に入れる。すべての電極６２６が所望の同じ機能を提供するように設計される。あるいは、電極６２６の各々は特定の機能を提供するように設計される。そんな場合、電極６２６は、皮膚と接触する時、異なる機能を同時に提供する。したがって、異なる電気周波数でもっと広範囲の異なる細胞を刺激し、表面から皮膚の奥まで効き、それによって皮膚が複数の反応が起こる。
【０１０１】
図１６、１７は、ケース６１２が作業端と連通端の間に支持するチップドライバー６４０を示す。チップドライバー６４０は駆動ユニット６４２から構成される。その６４２はケース６１２と駆動シャフト６４４にサポートされ、駆動ユニット６４２から多機能チップ６２０まで伸ばす。駆動ユニット６４２を駆動シャフト６４４で操作し、多機能チップ６２０の皮膚接触面を動かす。例えば、皮膚表面にある研磨エレメント６２２で、駆動ユニット６４２は多機能チップ６２０の皮膚接触面を駆動し、駆動軸６４４を介して回転させる。理想的な駆動ユニット６４２は、多機能チップ６２０を前後に回転往復運動させる。皮膚表面上のマイクロニードルアセンブリ６２４で、駆動ユニット６４２は多機能チップ６２０の皮膚接触面を駆動し、駆動軸６４４を介してケース６１２内においてスライドさせる。理想的な駆動ユニット６４２は、多機能チップ６２０を前後に回転往復運動させる。その動きはケース６１２の中心線と一致する。装置の動作時には、ユーザがハンドル６１０を安定的に持ち、多機能チップ６２０の皮膚接触表面を皮膚と接触するように駆動する。
【０１０２】
駆動シャフト６４４は多機能チップ６２０まで通じる最小１つの中空ポーションを持つ。６４４はステンレス鋼製の方が望ましい。
【０１０３】
図１６、図１７は更に、流体送達構造６３０を示し、多機能チップ６２０の皮膚接触表面への流体の流れを案内する。流体送達構造６３０の流体チャンネル６３２は、駆動軸６４４および少なくとも開口６３４の中空部で定義された流体チャンネル６３２を連通する多機能チップの皮膚接触表面の上に形成されている。したがって、駆動軸を持つ多機能駆動６４４の多機能チップの皮膚接触表面を移動する同時に、流体チャンネル６３２を通じて、開口部６３４において多機能チップ６２０の皮膚接触表面まで行く。
【０１０４】
多機能チップ６２０の皮膚接触表面がユーザの皮膚に接触する時、流体は開口６３４から直接に多機能チップ６２０の皮膚接触表面に排出される。それで、本発明の流体の供給構造６３０は、経皮的浸透液を皮膚の深いところに最適な方法である。
【０１０５】
図１６において、開口部６３４が多機能チップ６２０の皮膚接触表面の中央に位置し、研磨エレメント６２２は皮膚接触表面で放射状に形成される。複数の流体分配チャンネル６２８は開口部６３４から電極６２６まで放射状に外側に拡張される。各々の流体分配チャンネル６２８は隣接する２つの研磨エレメント６２２との間に隙間が形成される。したがって、流体は流体分配チャンネル６２８を通じて、電極６２６に向かって、最後に皮膚接触表面に送られる。また、開口部６３４が両側など、研磨エレメント６２２皮膚接触表面の中央部以外の地域に位置する。
【０１０６】
図１６において、皮膚接触表面に最低２つの開口部６３４があり、流体をマイクロニードルアセンブリ６２４まで送る。最低２つの開口部６３４はまた、皮膚接触表面に配置され、高速で流体を噴出するジェット推進蛇口になれる。
【０１０７】
図１６においては、多機能チップ６２０は、駆動軸６４４の自由端部に着脱可能に連結する。多機能チップ６２０が駆動軸６４４の自由端部に着脱可能に結合され、開口部６３４は、流体チャンネル６３２に連結されている。したがって、多様な多機能チップ６２０が交換可能で、駆動軸６４４と連結する。この実施例においては、多機能チップ６２０の３つの異なるタイプが提供され、すなわち、研磨エレメント６２２のつく多機能チップ６２０と、マイクロニードルアセンブリ６２４のつく多機能チップ６２０と、ジェット推進蛇口のつく多機能チップ６２０である。上記すべての多機能チップ６２０は流体を皮膚接触表面に排出するように、駆動シャフト６４４に着脱可能に結合する。
【０１０８】
図１７、１８において、流体送達構造６３０は、最小１つの流体入口６３６を有する。それが駆動シャフト６４４において横方向に形成され、流体を流体入口６３６から流体チャンネル６３２に誘導し、開口部６３４から出す。流体入口６３６が駆動シャフト６４４にて２つ配置され、流体チャンネル６３２と垂直になる。
【０１０９】
図１６、１７において、装置は支持部材６５０から構成される。支持部材６５０はケース６１２において移動不可な形で確保・支持される。支持部材６５０はケース６１２に、着脱自在に装着することで、駆動部６４２をサポートする。支持部材６５０には中心スロット６５２があり、駆動軸６４４が支持され、支持部材６５０の中心スロット６５２を通る。この実施例では、駆動シャフト６４４は移動可能一方、支持部材６５０が固定されている。駆動部６４２の動作時には、駆動シャフト６４４は任意の方向に移動され、振動できる。支持部材６５０が１つの方向のみに駆動シャフト６４４の動きを制限する。例えば、支持部材６５０は駆動シャフト６４４が中心スロット６５２内にて前後にスライドするか、中心スロット６５２内で回転することを保証する。それで、支持部材６５０が駆動軸６４４の不要な振動を防止する。駆動シャフト６４４は駆動ユニット６４２から多機能チップ６２０まで延長するように十分な長さが必要なので、ケース６１２においても支持部材６５０にサポートされる。そのため、支持部材６５０は、駆動ユニット６４２と多機能チップ６２０との間に位置し、支持部材６５０の後側が駆動部６４２に向かって、支持部材６５０の前面側が多機能チップ６２０に向かう。
【０１１０】
図１７と１８において、駆動シャフト６４４にある流体入口６３６は支持部材６５０内に位置している。支持部材６５０を介して前記流体入口６３６への流体を導くために、支持部材６５０の内部に流体空洞６５４があり、流体源から内部流体のキャビティ６５４へ送液を行う。そして、内部流体空洞６５４にある流体は、流体入口６３６から流体チャンネル６３２に入る。内部流体キャビティ６５４は、支持部材６５０の中心溝６５２から放射状に設置される。それで、駆動シャフト６４４は中心溝６５３を通る場合、流体入口６３６は内部流体空洞６５４と連通する。
【０１１１】
駆動シャフト６４４は支持部材６５０の内部流体空洞６５４において流体入口６３６の位置を決めるため、支持部材６５０の中心溝６５２を通り、移動できるため、駆動シャフト６４４が支持部材６５０に応じて移動される場合、流体が内部流体空洞６５４から流体入口６３６に入ることが可能である。
【０１１２】
内部流体空洞６５４のサイズは、駆動シャフト６４４の移動に応じて決定される。駆動シャフト６４４が中心溝６５２の中に回転する場合、内部流体空洞６５４の幅は流体入口６３６の直径より大きいであるはず。駆動シャフト６４４が中心溝６５２の中にスライドする場合、内部流体空洞６５４の幅は流体入口６３６の巡回排水量より大きいであるはず。
【０１１３】
２つの封止エレメント６５６は中心溝６５２の内側壁に埋め込まれ、内部流体空洞６５４の中、そして２つの封止エレメント６５６の間に流体を流体入口６３６の中に封止する。封止エレメント６５６は２つの密閉リングで、駆動シャフト６４４と中心溝６５２の内側壁に埋め込まれる。封止エレメント６５６は駆動シャフト６４４に使われる場合、その駆動シャフト６４４はまだ移動できる。駆動シャフト６４４が移動される時、封止エレメント６５６は、中心溝６５２に流体が漏れないように、流体を内部流体空洞６５４に封止する。
【０１１４】
図１６、１７、１８において、支持部材６５０は、支持部材６５０の後部から内部流体空洞６５４までつなぐ流体通路６５８から構成される。そこで、流体は通路６５８から内部流体空洞６５４まで導かれ、それから流体入口６３６から流体チャンネル６３２まで流れる。流体通路６５８は細長い通路である。流体通路６５８の入口は支持部材６５０の後部に配置され、流体通路６５８の出口は内部流体空洞６５４に配置される。最初に、流体チューブ６６２は流体通路６５６の入口から伸ばされ、そしてケース６１２の連通端から伸ばされ、流体源に有効に連結される。
【０１１５】
流体源から多機能チップ６２０の皮膚接触表面への流体通路は、下記の通り説明する。流体は流体源に保存され、第１流体チューブ６６２に沿って、流体源からの流体通路６５８に流れる。流体源は任意のポンピング力で流体通路６５８に流体をポンプする。そして、流体通路６５８によって内部流体空洞６５４に導かれる。流体は流体入口６３６から流体チャンネル６３２に入る。最後に、流体は開口部６３４において多機能チップ６２０の皮膚接触表面に送られる。流体源からのポンピング力なしで、流体は真空源によって、流体源から引かれ、流体通路６５８、内部流体空洞６５４を介して、開口部６３４にての真空源によって多機能チップ６２０の皮膚接触表面に送られる。
【０１１６】
支持部材６５０は、支持部材６５０を通る真空通路６５７と、多機能チップ６２０の皮膚接触表面に送られた流体を吸引するための真空ポート６５９から構成される。真空通路６５７の入口は、支持部材６５０の前面側に配置される。そして真空通路６５７の出口は、支持部材６５０の背面側に配置される。真空ポート６５９が真空通路６５７の入口から、真空入口６２１に向かって、多機能チップ６２０の皮膚接触表面をめぐる配置は好ましい。第２の流体チューブ６６６は真空通路６５７の出口から伸ばし、ケース６１２の流体容器の連通端に有効に連結される。
【０１１７】
多機能チップ６２０の皮膚接触表面から流体容器に流体を回収する通路は下記の通り。ケース６１２の端部に使用された流体は、真空ポート６５９によって真空入口６２１に回収され、そして真空通路６５７に転送される。それから、使用済の流体は第２の流体チューブ６６６によって流体容器に送達される。流体容器は、真空ポート６５９にて真空効果を作るように、真空吸引力を発する。流体が多機能チップ６２０の皮膚接触表面に送達される時、電極６２６がそれに電流を入れる。
【０１１８】
図１７において、中心溝６５２と流体通路６５８、真空通路６５７はそれぞれ平行に支持部材６５０に配置される。流体が真空入口６２１に戻される前に、皮膚接触表面から電極６２６を通過することが重要である。それで、電極６２６が流体を電化し、それを皮膚のもっと奥に、もっと長時間に通過させる。
【０１１９】
制御モジュール６７０は、電極６２６とチップドライバー６４０の動作を制御するために設けられる。制御モジュール６７０は、チップドライバー６４０と電極６２６に有効に接続している制御回路６７２と、駆動ユニット６４２に有効に接続しているギアボックスのような伝導ユニット６７４から構成される。６４２に接続する６７４は、駆動シャフト６４４の振幅を調整する。例えば、駆動ユニット６４２の回転速度（ｒｐｍ）は伝導ユニット６７４で調整される。それで、ユーザは、ハンドル６２０上に設けられた一つかそれ以上の制御スイッチ６７６を介して多機能チップ６２０の回転速度を調整することができる。また、制御スイッチ６７６は電極６２６の電気の周波数を制御と選択することができる。絶縁配線６２７は制御モジュール６７０で電極６２６と接続するために設けられ、着脱式のキャップ６１６に埋め込まれ、流体が真空入口６２１から引かれる時、電気ショックを防ぐ。端子絶縁配線６２７とつなぐのに着脱式のキャップ６１６の後端に設けられるので、着脱式のキャップ６１６がケース６１２に着脱可能に結合し、電極６２６が制御モジュール６７０と電気的に接続されている。電極６２６は異なる着脱式のキャップ６１６と交換することによって、交換・着脱及び・又は廃棄できる。また、制御モジュール６７０は、本体に配置することができる（図示せず）その本体は手動の押しボタン式スイッチか、ハンドル６１０に接続するタッピパネルで制御される。
【０１２０】
装置の代替駆動ユニットなしで形成することができる、多機能チップ６２０は、流体の供給構造６３０を介して流体の流れによって駆動する。例えば、流体多機能チップ６２０を回転駆動させる渦のように流体チャンネル６３２で流れに導かれる。皮膚接触表面にある開口部６３４は排出角度を持ち、流体の吐出時に、開口部６３４において、多機能チップ６２０は押されて回転する。
【０１２１】
図１９は、２つかそれ以上の異なる電極７２６が構成する電極モジュールの変形例を示す。図１９において、３つの異なる電極７２６を利用して、内側電極リングと中間電極リング及び外側電極リングを構成する。それは同軸で、多機能チップ６２０の皮膚接触表面に配置されている。３つの異なる電極リングとより広い範囲の表面からの細胞の種類と表皮の深さの下の皮膚からの複数の反応を引き起こすとして、異なる電気刺激の周波数を生成する。と言うことは、３つの異なる電極７２６は、表皮、真皮、皮下組織など、皮膚の複数の層に影響を与えることで、皮膚構造を改善する。流体の外部電極リングの周囲で皮膚接触表面にある研磨エレメント６２２から真空入口６２１へ異なる電極７２６を通過することは注意すべき。
【０１２２】
本発明の装置は、以下の方法を同時に実施し、経皮的浸透液を肌の奥まで導入する皮膚の治療の革新的な装置である（１）研磨エレメント６２２を通じて研磨素子を剥離、（２）電極６２６による電気刺激、（３）表皮、真皮、皮下組織など、皮膚の複数の層に影響を与えることで、皮膚構造を改善するために、皮膚の表面に適用される流体による液体注入。
【０１２３】
もっと重要なのは、流体は皮膚接触表面に送達され、研磨エレメント６２２に均一配布し、それから真空入口６２１に回収される前に電極６２６に電化される。流体の移動経路は開口部６３４と真空入口６２１の間に延長され、研磨エレメント６２２と電極６２６を通過することを保証する。皮膚の研磨は多機能チップ６２０の移動により自動に動作する。したがって、本発明の装置は一つの装置において、３つの異なる肌の治療法を含む新しい創作である。すなわち、ユーザが固定ハンドル６１０を手にとって、３つの異なる機能を連携して動作する多機能チップ６２０の皮膚接触表面を皮膚に使う。
【０１２４】
治療として、流体と電極６２６の間の相互作用が起こるとき、流体にある薬が皮膚表面を通す。それは皮膚透過性を向上させ、薬物の浸透吸収を強化させる非侵襲的な方法である。それは反発電力で、薬物または生理活性剤などの荷電物質を駆動し、皮膚の表面を通過させる。
【０１２５】
３つの異なる皮膚治療法とは互いに連結し、それぞれ独立した機能ではない。と言うことは、３つの異なる皮膚治療法は、全体としては、互いの機能を強化する。流体は直接皮膚接触表面に送られ、液体を皮膚に直接接触する。流体は、皮膚の表面を研磨するとき、研磨エレメント６２２が皮膚の表面に応用される。また、流体は、電極６２６と相互作用して、皮膚表面に電気刺激をする。真空入口６２１の真空効果によって、流体は、真空入口６２１に回収される前に、研磨エレメント６２２と電極６２６を通過するよう、真空入口６２１で、開口部６３４から真空に引かれる。
【０１２６】
経皮的流体送達のための本発明の方法としては、以下のステップを含む。
【０１２７】
（Ａ）ハンドル６１０の作業端を皮膚の表面に置くため、ハンドル６１０を持つ。
【０１２８】
（Ｂ）流体を多機能チップ６２０の皮膚治療表面上の開口部６３４で、多機能チップ６２０の皮膚治療表面に送達する。したがって、流体は直接皮膚治療表面に送達され、皮膚の表面と接触できる。より詳しくは、流体は駆動シャフト６４４の中空部を通る。６４４は、流体チャンネル６３２として、流体チャンネル６３２を介して開口部６３４に流体を導く。
【０１２９】
（Ｃ）流体を、皮膚接触表面に配置される研磨エレメント６２２に均一に配布する。流体が流体分配チャンネル６２８を介して研磨エレメント６２２に均等に配布する。または、２つ以上の開口部６３４が皮膚接触表面に配置され、均一に研磨エレメント６２２上に配布する。
【０１３０】
（Ｄ）多機能チップ６２０の皮膚接触表面を駆動し、ハンドル６１０が静止した状態で剥離研磨のために動かす。ハンドル６１０を動かすことなく、多機能チップ６２０の皮膚接触表面はチップドライバー６４０によって駆動される。
【０１３１】
（Ｅ）流体を誘導し、皮膚接触表面を囲む電極モジュールの電極６２６と相互作用さえる。流体が研磨エレメント６２２と相互作用した後、流体を皮膚の表面に電気刺激用電極６２６を通過させる。
【０１３２】
（Ｆ）真空入口６２１で後ろに引かれる前に、研磨エレメント６２２と電極６２６相互作用するように、流体を電極モジュールの周辺にある真空入口６２１で回収する。真空効果により、流体摩擦要素６２２と電極６２６を通過することを強制される。
【０１３３】
本発明を特定の実施例に参考にして、かなり詳細に議論されているが、他の実施形態が可能である。したがって、特許請求の範囲は、本文に含まれる好ましい実施例に限らない。
【０１３４】
実施例及び本発明の選択肢はすでに説明・記述されているが、当業者によく知られることは、本発明の趣旨及び範囲から逸脱することなく、他の様々な変更や修正が可能である。
【図１Ａ】
2017513683.tif 000003
【図１Ｂ】
2017513683.tif 000004
【図２Ａ】
2017513683.tif 000005
【図２Ｂ】
2017513683.tif 000006
【図２Ｃ】
2017513683.tif 000007
【図３Ａ】
2017513683.tif 000008
【図３Ｂ】
2017513683.tif 000009
【図４】
2017513683.tif 000010
【図５Ａ】
2017513683.tif 000011
【図５Ｂ】
2017513683.tif 000012
【図６Ａ】
2017513683.tif 000013
【図６Ｂ】
2017513683.tif 000014
【図７】
2017513683.tif 000015
【図８】
2017513683.tif 000016
【図９】
2017513683.tif 000017
【図１０】
2017513683.tif 000018
【図１１】
2017513683.tif 000019
【図１２】
2017513683.tif 000020
【図１３】
2017513683.tif 000021
【図１４】
2017513683.tif 000022
【図１５】
2017513683.tif 000023
【図１６】
2017513683.tif 000024
【図１７】
2017513683.tif 000025
【図１８】
2017513683.tif 000026
【図１９】
2017513683.tif 000027
【国際調査報告】
2017513683.tif 000028